(57)【要約】【課題】ロック装置全体について外部からアクセスし難くすると共に、専用のロック解除具を用いることでロック装置による保護機能を高めることができ、しかも、ロック装置全体を薄くて簡易な構成とすること。【解決手段】  書類等を出し入れする解放部２を有するファイル本体３と、そのファイル本体にヒンジ結合され、解放部の少なくとも一部を開閉可能な開閉板４と、その開閉板とファイル本体との間に設けられたロック装置５と、そのロック装置のロック状態を解除するキープレート６とを備える。ロック装置は、開閉板の自由端に設けられた係合片７と、係合片が差し込まれてロックされる係合溝８１を有する本体部材８とを含む。本体部材８は、ファイル本体３の内面側に設けられている。【選択図】      図１
2007008128.tif 000002
【特許請求の範囲】
【請求項１】
書類等を出し入れする解放部を有するファイル本体と、
前記ファイル本体にヒンジ結合され、前記解放部の少なくとも一部を開閉可能な開閉板と、
前記開閉板とファイル本体との間に設けられたロック装置と、
前記ロック装置のロック状態を解除するキープレートとを備え、
前記ロック装置は、
前記開閉板の自由端に設けられた係合片と、
前記係合片が差し込まれてロックされる係合溝を有する本体部材とを含み、
前記本体部材は、前記ファイル本体の内面側に設けられている、ファイリング用具。
【請求項２】
前記キープレートは、把持部分となるプレート本体と、前記係合溝内に差し込む差込片とを有し、前記開閉板と係合片との間には、前記係合溝内にキープレートの差込片を差し込むための貫通孔が設けられ、前記ロック装置のロック状態において前記差込片を前記係合溝内に差し込んだときにロック状態が解除される、請求項１に記載のファイリング用具。
【請求項３】
前記キープレートの差込片には、その差込片を前記係合溝内に差し込んだ状態で、前記貫通孔の口縁に係合させる凹部が設けられている、請求項２に記載のファイリング用具。
【請求項４】
前記本体部材には、前記係合溝内に突出するフック部が設けられ、前記係合片には、前記係合溝内においてフック部の進入を許容する穴が設けられ、前記フック部には、前記差込片の係合溝内への差し込みによって係合溝内からフック部を退出させる方向に変位させるためのガイド部が設けられている、請求項１〜３の何れかに記載のファイリング用具。
【請求項５】
前記係合溝は、その溝幅方向で相対する両面のうちの片面がファイル本体の内面部分で形成されている、請求項１〜４の何れかに記載のファイリング用具。
【請求項６】
前記ファイル本体は、内面側に綴じ具が設けられる背表紙と、背表紙の両側にヒンジ結合された表表紙および裏表紙を備え、それら表表紙又は裏表紙の何れか一方の表紙に前記開閉板がヒンジ結合され、他方の表紙と開閉板との間にロック装置が設けられている、請求項１〜５の何れかに記載のファイリング用具。
【請求項７】
前記開閉板は、前記表表紙と裏表紙の自由端どうしを連結するための連結帯の一部を兼ねている、請求項６に記載のファイリング用具。
【請求項８】
前記ファイル本体は、片面が解放された解放部を有する箱状であって、前記開閉板は、前記解放部を開閉する蓋材を兼ねている、請求項１に記載のファイリング用具。
【請求項９】
前記開閉板及び係合片は、前記ファイル本体と一体に形成されている、請求項１〜８の何れかに記載のファイリング用具。
【請求項１０】
前記開閉板及び前記本体部材には、南京錠等の連結具付き施錠装置により、それら開閉板と本体部材とを連結するための連結穴が設けられている、請求項１〜９の何れかに記載のファイリング用具。
【請求項１１】
ファイリング用具の解放部の少なくとも一部を開閉する開閉板とファイル本体との間に設けられるロック装置であって、
前記開閉板に設けられる係合片と、
前記ファイル本体の内面側に設けられ、前記係合片が差し込まれる係合溝を有する本体部材と、
前記係合溝内に差し込まれて前記係合片と係合溝との係合状態を解除する差込片を有するキープレートと、
を備えるロック装置。
【請求項１２】
前記係合片には、前記キープレートの差込片を係合片の外面側から前記係合溝内に差し込むための貫通孔が設けられ、前記差込片には、前記貫通孔の口縁に係合させる凹部が設けられている、請求項１１に記載のロック装置。
【発明の詳細な説明】
【技術分野】
【０００１】
本発明は、書類等の綴じ具を備えたファイリング用具、及びその開閉部分に設けられるロック装置の技術に関する。
【背景技術】
【０００２】
書類等の綴じ具を備えたファイリング用具として、表紙体の両開き式ファイルや、片面を開閉する箱形のファイル、手帳やノート、アルバム、等が広く知られている。
【０００３】
この種のファイリング用具においては、機密情報や個人情報のように、特定の利用者以外には機密にしておきたい内容を含むものがファイルされることも多々ある。その対策として、特許文献１や特許文献２、特許文献３に記載のように、ファイリング用具の開閉部に、容易に開閉できないようにするためのロック装置（施錠装置）を設けたものが従来から開発されている。
【０００４】
特許文献１には、アルバムの開閉部分において、その裏表紙に設けた連結帯（舌片）を表表紙側に折り曲げた状態で、連結帯の係止片を表表紙側に設けた施錠装置本体に差し込み、ダイヤルを回してロックする技術が記載されている。
【０００５】
特許文献２には、片面（表表紙）が開閉される箱形のファイル本体に設けたロックレバー付きの穴部に、表表紙に設けたロックピンを挿入してロックする、電子施錠装置付き収納体の技術が記載されている。
【０００６】
特許文献３には、箱形収納体の解放部側に設けたベルトの係止部をダイヤル錠の鍵穴に挿入してロックするバインダの技術が記載されている。
【０００７】
【特許文献１】実開昭４９−５８４０９号公報
【特許文献２】特開平５−３０９９８７号公報
【特許文献３】特許第３５８４３２２号公報
【発明の開示】
【発明が解決しようとする課題】
【０００８】
しかしながら、こうした従来のファイリング用具は、次のような点で解決すべき課題がある。
（１）施錠装置の操作部を含む本体部分がファイル本体の外部に露呈された構造となっているため、それらの部分に第３者が容易に触れることができる。したがって、操作部を含む本体部分が外からの力で壊されやすい形態となっている。
（２）施錠装置自体が厚手に構成されているため、施錠装置の配置位置によっては、書類等を綴じるのに邪魔になる。
（３）施錠装置が金属製あるいは電子部品を含む構造となっているため、構造が複雑で、部品点数が多く、低コスト化を図り難い。
【０００９】
よって、本発明の課題は、ロック装置全体について外部からアクセスし難くすると共に、専用のロック解除具を用いることでロック装置による保護機能を高めることができ、しかも、ロック装置全体を薄くて簡易な構成とすることができるファイリング用具及びそのロック装置の技術を提供することにある。
【課題を解決するための手段】
【００１０】
前記課題を解決するため、本発明では以下の手段を採用した。
本発明のファイリング用具は、書類等を出し入れする解放部を有するファイル本体と、そのファイル本体にヒンジ結合され、解放部の少なくとも一部を開閉可能な開閉板と、その開閉板とファイル本体との間に設けられたロック装置と、そのロック装置のロック状態を解除するキープレートとを備え、ロック装置は、開閉板の自由端に設けられた係合片と、係合片が差し込まれてロックされる係合溝を有する本体部材とを含み、本体部材は、ファイル本体の内面側に設けられている構成とした。
【００１１】
本発明によれば、開閉板の自由端に係合片を設け、係合片が差し込まれてロックされる係合溝を有する本体部材をファイル本体の内面側に設けた構成としているので、ロック装置の本体部材をファイル本体内の、外部から見え難い位置やアクセスし難い部位に配置することができる。さらに、ロック状態においては、係合溝に差し込まれた係合片もファイル本体内に位置し、かつ開閉板によって覆われる形態となる。これによりロック装置全体について外部からアクセスし難い配置とし、かつロック解除具としての専用のキープレートを用いることで、ロック装置による保護機能を格段に高めることができる。また、係合片を係合溝に差し込んでロック状態とし、そのロック状態をキープレートで解除する構成とすることで、ロック装置全体を薄く、しかも簡易な構成とすることができる。
【００１２】
ここで、前記キープレートは、把持部分となるプレート本体と、係合溝内に差し込む差込片とを有し、前記開閉板と係合片との間には、係合溝内にキープレートの差込片を差し込むための貫通孔が設けられ、ロック装置のロック状態において、差込片を係合溝内に差し込んだときに、ロック状態が解除される構成とすることが望ましい。
【００１３】
このように構成した場合、貫通孔を利用して開閉板の外側から差込片を係合溝内に差し込んで、ロック装置のロック状態を解除することができる。これにより、ロック装置の本体部材を外部から見え難い位置やアクセスし難い部位に配置しても、専用のキープレートを使用すれば、ロック状態を解除する操作を容易に行うことができる。
【００１４】
本発明において、前記キープレートの差込片には、その差込片を係合溝内に差し込んだ状態で、前記貫通孔の口縁に係合させる凹部が設けられていることが望ましい。このように構成した場合、係合溝内に係合片を差し込んだ状態で、その凹部を貫通孔の口縁に係合させてキープレートを引き抜く操作を行えば、ロック装置の解除操作と、開閉板を係合片と共に開方向に回動させる操作の両方を一連の操作で行うことができる。
【００１５】
本発明において、前記本体部材には、前記係合溝内に突出するフック部が設けられ、前記係合片には、係合溝内においてフック部の進入を許容する穴が設けられ、前記フック部には、前記差込片の係合溝内への差し込みによって係合溝内からフック部を退出させる方向に変位させるためのガイド部が設けられている構成とすることもできる。このような構成とした場合、係合片を係合溝内に差し込むだけでロック状態となる。キープレートの差込片を係合溝内に差し込むと、ガイド部の作用によってフック部が係合片の穴から外れてロック状態が解除される。したがって、簡易なロック装置を構成することが可能になる。
【００１６】
本発明において、前記係合溝は、その溝幅方向で相対する両面のうちの片面がファイル本体の内面部分で形成されていることが望ましい。なぜなら、係合溝の溝幅方向で相対する片面を形成する面材が不要になるので、その分、ロック装置全体をより薄く構成することができるからである。
【００１７】
本発明において、前記ファイル本体は、内面側に綴じ具が設けられる背表紙と、背表紙の両側にヒンジ結合された表表紙および裏表紙を備え、それら表表紙又は裏表紙の何れか一方の表紙に前記開閉板がヒンジ結合され、他方の表紙と開閉板との間にロック装置が設
けられている構成とすることもできる。このように構成すれば、表表紙と裏表紙を左右に開く両開き式のファイル本体にロック装置を装備したファイリング用具を得ることができる。
【００１８】
ここで、前記開閉板としては、表表紙と裏表紙の自由端どうしを連結するための連結帯の一部を兼ねている構成とすることもできる。このようにすれば、ファイル本体の解放部のうち、一部分のみを帯状に閉じる形態とすることができるので、ファイリング用具自体のデザイン性を高めることが可能になる。
【００１９】
また、前記ファイル本体は、片面が解放された解放部を有する箱状であって、前記開閉板は、前記解放部を開閉する蓋材を兼ねている構成とすることもできる。このようにすれば、ファイル本体の解放部のうち、蓋材を兼ねる開閉板のみを開閉できる形態とすることもできるので、ファイル本体の密閉性を高めたファイリング用具を得ることが可能になる。
【００２０】
本発明において、前記開閉板及び係合片は、前記ファイル本体と一体に形成されている構成とすることが望ましい。このように構成すれば、樹脂等を用いた一体成形やモールド成形等によって簡易に製作できるので、製作性を高めて低コスト化を図ることができる。
【００２１】
本発明において、前記開閉板及び本体部材には、南京錠等の連結具付き施錠装置により、それら開閉板と本体部材とを連結するための連結穴が設けられている構成とすることもできる。このように構成した場合、二重ロック構造とすることができる。
【００２２】
本発明は、ファイリング用具の解放部の少なくとも一部を開閉する開閉板とファイル本体との間に設けられるロック装置であって、前記開閉板に設けられる係合片と、前記ファイル本体の内面側に設けられ、前記係合片が差し込まれる係合溝を有する本体部材と、前記係合溝内に差し込まれて前記係合片と係合溝との係合状態を解除する差込片を有するキープレートとを備えることを特徴としている。
【００２３】
その際、前記本体部材には、前記係合溝内に突出するフック部が設けられ、前記係合片には、係合溝内においてフック部の進入を許容する穴が設けられ、前記フック部には、前記差込片の係合溝内への差し込みによって係合溝内からフック部を退出させる方向に変位させるためのガイド部が設けられている構成とすることもできる。また、前記係合溝としては、その溝幅方向で相対する両面のうちの片面をファイル本体の内面部分で形成可能な構成とすることもできる。
【発明の効果】
【００２４】
本発明によれば、ロック装置全体について外部からアクセスし難い構成とすることでロック装置による保護機能を高めることができる。また、ロック解除具としての専用のキープレートによりロックを解除する構成としているので、この点からもロック装置の保護機能を高めることができる。さらに、係合片を係合溝に差し込んでロック状態とし、そのロック状態をキープレートで解除する構成とすることで、ロック装置全体を薄く、しかも簡易な構成とすることができる。
【発明を実施するための最良の形態】
【００２５】
以下、本発明の好適な実施の形態について、図面を参照して説明する。
図１は、本発明の実施例に係るロック装置を備えたファイリング用具の外観を示す斜視図である。図２は、ロック装置のロック解除状態の外観を示す斜視図である。図３はロック装置のロック解除状態の部分拡大斜視図である。図４はファイル本体を構成する基材の展開図である。図５はロック装置の本体部材を示す斜視図である。
【００２６】
（実施例１）
この実施例のファイリング用具１は、書類Ｓ等を出し入れする解放部２を有するファイル本体３と、そのファイル本体３にヒンジ結合され、解放部２のうち一部分を開閉可能な帯板状の開閉板４と、その開閉板４とファイル本体３との間に設けられたロック装置５と、そのロック装置５のロック状態を解除するロック解除具としてのキープレート６とを備えている。
【００２７】
ロック装置５は、開閉板４の自由端に設けられた係合片７と、係合片７が差し込まれてロックされる係合溝８１を有する本体部材８とを含む。本体部材８はファイル本体３の内面３３ａ側に設けられている。キープレート６は、把持部分となるプレート本体６１と、本体部材８の係合溝８１内に差し込む差込片６２、６２とを有している。
【００２８】
次いで、これらの詳細について説明する。ファイル本体３は、内面側に綴じ具（図示せず）が設けられる背表紙３１と、背表紙３１の両側にヒンジ結合された表表紙３２および裏表紙３３を備えている。そして、表表紙３２の自由端に開閉板４がヒンジ結合され、開閉板４の自由端にロック装置５の係合片７がヒンジ結合されている。ロック装置５の本体部材８は、その両端近くに設けた取付穴８９を利用して、裏表紙３３の自由端近くの内面３３ａ側に鋲等によって取り付られている。
【００２９】
ファイル本体３の材質については特に限定されないが、この実施例のファイル本体３は、厚さ数ｍｍ程度の樹脂製シートにより形成されている。さらに、開閉板４及び係合片７もファイル本体３と一体に形成されている。例えば、図４に示すような展開図の形状とした樹脂製シートからなるプレート状基材Ｋが用いられている。
【００３０】
この基材Ｋには、スロット状の貫通孔４１、４１、係合孔となる抜き穴７１、７１、図中破線で示す薄肉ヒンジ部３ａ、３ｂ、４ａ、７ａ等がそれぞれ設けられている。薄肉ヒンジ３ａ、３ａ間には、図示しない金属製の綴じ具を締結具等により取り付ける取付穴３ｃが複数設けられている。開閉板４の側縁近くには後述する南京錠等を取り付けることができる長穴状の連結穴４２が設けられている。
【００３１】
開閉板４と係合片７との間に設けた貫通孔４１、４１は、係合溝８１内にキープレート６の差込片６２、６２を外側から差し込むことができるように設けた孔である。これにより、ロック装置５のロック状態において、差込片６２、６２を貫通孔４１、４１を利用して係合溝８１内に差し込んだときに、ロック状態が解除されるように構成されている。
【００３２】
ロック装置５の本体部材８は、図５及び図６に示すように扁平な矩形状に形成されている。そして、その中央部分に係合溝８１が設けられている。この係合溝８１は、その溝幅方向で相対する両面のうちの片面がファイル本体３の内面部分（裏表紙３３の内面３３ａ部分）で形成されている。従って、本体部材８には、裏表紙３３の内面から離れる方向に凹み、かつ裏表紙３３の内面に添って延びる形状の凹部８１ａが設けられている。これにより裏表紙３３の自由端に開口した係合溝８１が形成されている。係合溝８１のもう一つの片面は凹部８１ａの壁面で形成されている
【００３３】
本体部材８には、図６及び図８に示すように、係合溝８１内に突出するフック部８２、８２が本体部材８の長手方向（図５の矢印Ａ方向）に間隔をおいて設けられている。このフック部８２、８２は、コ形状の切り抜き８３、８３によって弾性を付与された弾性片８４、８４の自由端にそれぞれ設けられている。フック部８２、８２は本体部材８の厚さ方向（矢印Ｂ方向）に薄く、長手方向に延びた細長いフックとして形成されている。従って、係合片７のスロット状の抜き穴（係合穴）７１、７１は、係合溝８１内においてフック
部８２、８２の進入を許容する長方形の長穴として形成されている。
【００３４】
フック部８２、８２には、係合片７及び差込片６２の係合溝８１内への差し込みによって係合溝８１内からフック部８２、８２を退出させる方向に変位させるためのガイド部８５、８５がそれぞれ設けられている。ガイド部８５、８５は、図８（図７のａ−ａ断面）に示すように、差込片６２の差し込み方向に向かうに従い、裏表紙３３の内面に向かって下り勾配の斜面に形成されている。係合溝８１の溝幅は、係合片７の厚さと差込片６２の厚さの合計厚さよりも僅かに大き目に形成されている。
【００３５】
この構成により、係合片７を係合溝８１内に差し込むだけで、フック部８２、８２が係合穴７１、７１内に入り込み、ロック状態となる。また、キープレート６の差込片６２、６２を係合溝８１内に差し込むと、ガイド部８５の作用によってフック部８２、８２が係合片７の係合穴７１、７１から外れてロック状態が解除される。なお、係合溝８１の口縁には、差込片６２を差し込みやすくするためのテーパ面８６が形成されている。
【００３６】
本体部材８の長手方向の一端近くには、南京錠等のＵ形連結具１０１付きの施錠装置１００により連結して鍵をかけるために利用する連結穴８７付きの錠止め部材８８が設けられている（図１１参照）。この錠止め部材８８は、図９（図７のｂ−ｂ断面）及び図１０（ｃ−ｃ断面）に示すように、薄く形成されていて、不使用時にはヒンジ部８８１により折り畳まれ、収納部８８２内に収納されて仮止めされるように構成されている。仮止め手段は、図１０に示すように、収納部８８２の両側面に設けられて錠止め部材８８の両側縁に係合するフック状の小突起８８３、８８３により構成されている。
【００３７】
この錠止め部材８８をほぼ９０度折り曲げた状態において、かつ、図１に示すようにロック装置５をロックした状態において、開閉板４に設けた連結穴４２と、錠止め部材８８の連結穴８７とが位置合わせされるように設定されている。これにより、施錠装置１００を利用したロックも可能な構成となっている。
【００３８】
キープレート６の差込片６２、６２には、図１２に示すように、その差込片６２、６２を係合溝８１内に差し込んだ状態で、貫通孔４１、４１の口縁に係合させる凹部６３が設けられている。この凹部６３は、差込片６２、６２の基端部の相互に対向する位置に一対設けられている。差込片６２、６２の間隔αは、貫通孔４１、４１間の間隔よりも僅かに大きく設定されている。一方、凹部６３、６３の間隔βは、間隔αよりも大きく設定されている。なお、凹部６３は、差込片６２、６２に一つ設けても良い。この場合、２枚の差込片６２、６２の内側に凹部６３、６３を設けるか、または、２枚の差込片６２、６２の外側に凹部６３、６３を設けることが好ましい。
【００３９】
従って、キープレート６の差込片６２、６２を、貫通孔４１を利用して係合溝８１内に差し込んだ状態で、キープレート６を間隔β方向に若干スライドさせることにより、その凹部６３を貫通孔４１の口縁に係合させることができる。これにより、キープレート６を引き抜く操作を行えば、開閉板４を係合片７と共に開方向に回動させることができるように配慮している。
【００４０】
図１３〜図１６は、キープレート６を利用してロック装置５を解除操作する際の作用説明図である。図１３は、係合溝８１内に係合片７が差し込まれてロックされている状態を示す。この状態において、係合溝８１の係合片７と弾性片８４との間の隙間に、キープレート６の差込片６２が差し込まれる。すると、差込片６２の進入に伴い、図１４に示すようにガイド部８５の作用によって、フック部８２が係合溝８１内から外側へ押し出され、ロック状態が解除される（図１５参照）。この状態では、係合片７を係合溝８１内から容易に抜き出すことができる。勿論、差込片６２の凹部６３、６３の何れか一方に貫通孔４
１、４１の口縁を係合させてキープレート６を引き抜く操作を行えば（図１６参照）、係合片７と共に開閉板４を容易に開くことができる。
【００４１】
（実施例２）
図１７は、本発明の実施例２を示す斜視図である。なお、この実施例２において、先の実施例１と基本的に同一の構成部材については同一の符号を付してその説明を簡略化する。
【００４２】
この実施例２では、片面が解放された解放部を有する箱型のファイル本体３に適用したものである。即ち、このファイリング用具１は、実施例１におけるファイル本体３の解放部２のうち、開閉板４を除く残りの解放部２に対応する部分に閉塞板（側面板）３６、３７、３８が設けられ、書類等の出し入れ用として裏表紙３３が開閉可能に構成されている。従って、この実施例の裏表紙３３は、片面が開閉される箱形のファイル本体３の蓋材を兼ねている。また、開閉板４は連結帯を兼ねている。なお、開閉板４、ロック装置５の係合片７及び本体部材８等は先の実施例と同様に構成されている。
【００４３】
図１８はファイル本体３等を構成するプレート状基材の展開図を示す。この図から明確なように、図４の展開図と相違する点は、閉塞板３６、３７、３８が設けられて、箱型のファイル本体３として形成される点である。なお、図１９に示すように表表紙３２を開閉可能な箱形のファイル本体として構成してもよい。
【００４４】
なお、本発明では、裏表紙３３の自由端に開閉板４をヒンジ結合し、表表紙３２の内面側に本体部材８を取り付けてもよい。また、係合片７も独立の部材として形成し、開閉板４に固定またはヒンジ結合してもよい。さらに、開閉板４及び係合片７を一体化した独立部材とし、開閉板４を左右何れか一方の表紙に固定またはヒンジ部を介して結合してもよい。また、本発明のロック装置はファイリング用具に限らず、他の蓋付き箱形容器等にも適用することができる。
【図面の簡単な説明】
【００４５】
【図１】本発明に係るロック装置を備えたファイリング用具の外観を示す斜視図である。
【図２】本発明に係るロック装置のロック解除状態の外観を示す斜視図。
【図３】本発明に係るロック装置のロック解除状態の部分拡大斜視図。
【図４】本発明に係るファイル本体を構成する基材の展開図。
【図５】本発明に係るロック装置の本体部材を示す斜視図。
【図６】本発明に係るロック装置の本体部材を示す平面図。
【図７】本発明に係るロック装置の本体部材を示す正面図。
【図８】図７のａ−ａ線断面図。
【図９】図７のｂ−ｂ線断面図。
【図１０】図７のｃ−ｃ線断面図。
【図１１】本発明に係るロック装置の本体部材と開閉板とを施錠装置で連結する例の説明図。
【図１２】本発明に係るロック装置のキープレートを示す斜視図。
【図１３】本発明に係るロック装置の作用を説明する部分断面図。
【図１４】本発明に係るロック装置の作用を説明する部分断面図。
【図１５】本発明に係るロック装置の作用を説明する部分断面図。
【図１６】本発明に係るロック装置の作用を説明する部分断面図。
【図１７】本発明に係るファイリング用具の外観を示す斜視図。
【図１８】本発明に係るファイル本体を構成するの基材の展開図。
【図１９】本発明に係るファイル本体を構成する他の基材の展開図。
【符号の説明】
【００４６】
１  ファイリング用具
２  解放部
３  ファイル本体
３１  背表紙
３２  表表紙
３３  裏表紙
４  開閉板
４１  貫通孔
４２  連結穴
５  ロック装置
６  キープレート
６１  プレート本体
６２  差込片
６３  凹部
７  係合片
７１  係合穴（穴）
８  本体部材
８１  係合溝
８２  フック部
８４  弾性片
８５  ガイド部
８７  連結穴
８８  錠止め部材
【図１】
2007008128.tif 000003
【図２】
2007008128.tif 000004
【図３】
2007008128.tif 000005
【図４】
2007008128.tif 000006
【図５】
2007008128.tif 000007
【図６】
2007008128.tif 000008
【図７】
2007008128.tif 000009
【図８】
2007008128.tif 000010
【図９】
2007008128.tif 000011
【図１０】
2007008128.tif 000012
【図１１】
2007008128.tif 000013
【図１２】
2007008128.tif 000014
【図１３】
2007008128.tif 000015
【図１４】
2007008128.tif 000016
【図１５】
2007008128.tif 000017
【図１６】
2007008128.tif 000018
【図１７】
2007008128.tif 000019
【図１８】
2007008128.tif 000020
【図１９】
2007008128.tif 000021